(57)【要約】【課題】庭や路上掃除などで塵埃の収納に使用するポリ袋の開口部を、片手で容易に開いた状態に保持し、且つ他方の片手で、掃き集めた塵埃を容易にポリ袋に掃き込むことを可能とする用具を開発する。【解決手段】２本の柄と掃き込み用の平板で構成されるポリ袋への塵埃掃き込み用具であって、２本の柄の両端部を平板の両側の相互に離れた場所に回動自在に保持し、柄にポリ袋を挟持した状態で係止させることでポリ袋の開口部を、片手で開口した状態に保持することを可能とする。  また掃き込み作業を効率化する為に、掃き込み用平板を傾斜させ、また土砂や小石を分離する為に平板に複数の開口部を設ける。【選択図】図１
2017086836.tif 000002
【特許請求の範囲】
【請求項１】
掃き込み手段と、２本の柄からなるポリ袋への掃き込み用具であって、前記掃き込み手段に前記２本の柄の両端部を相互に離れた場所に回動自在に保持し、２本の柄を係止させることにより、ポリ袋の開口部を開口した状態に保持することが出来るようにしたことを特徴とするポリ袋への掃き込み用具
【請求項２】
ポリ袋を取り付ける側の柄の端部を掃き込み手段から突出させて、接地時に掃き込み手段が傾きを有するようにした請求項１のポリ袋への掃き込み用具
【請求項３】
請求項１のポリ袋への掃き込み用具に用いられる柄であって、逆Ｕ字形状としたことを特徴とする柄
【請求項４】
請求項２のポリ袋への掃き込み用具に用いられる掃き込み手段であって、板に複数の開口部を設けて土砂や小石を分離出来るようにした掃き込み手段
【発明の詳細な説明】
【技術分野】
【０００１】本発明は、塵取りを使用せず、掃き集めた塵埃を直接ポリ袋に収納する為の用具に関するものである。
【背景技術】
【０００２】  庭や花壇  或は  路上などを掃き掃除する際は、掃き集めた塵埃を一旦、塵取りに収納し、その後、ポリ袋（以下ゴミ袋を意味するものとする）に移し替える作業を行う。言い換えれば、掃き集めた塵埃をポリ袋に収納するのに、２段階のステップを踏む必要があり、甚だ非効率である上に、塵取りからポリ袋への移し替えの作業中に、塵埃の一部が、こぼれ落ちることもたびたび発生し、その清掃の為に余分な労力を必要とするのみならず、精神的にも、非常に不快に感じる。【０００３】その為、塵取りの構造の一部である塵埃の収納部分をポリ袋に置換することにより、塵取りからポリ袋への移し替え作業を省略する為の考案が、数多く知られている。後記の先行技術文献は、それらの一部であるが、いずれもポリ袋の固定方法に工夫を凝らしたものであり、端的に云えば、塵埃の収納部分を単にポリ袋に置き換えたものに過ぎないと云うことが出来る。【０００４】掃除の最終的な作業目的を考えて、塵取りという媒体を使わずに、集めた塵埃を直接ポリ袋に掃き入れ収納するという発想での用具が好ましいが、いまだそれに類する用具は開発されていない。一方、ポリ袋のほうも、省資源化の流れの中で、肉厚がますます薄く、また柔軟になり、塵埃の投入の為に、片手のみでその開口部を開いた状態に保つことは、ほぼ不可能であり、取り扱いが極めて厄介である。
【先行技術文献】
【特許文献】
【０００５】
【特許文献１】特開２００４−１７４０６９
【特許文献２】特開２０１２−１３５４３６
【特許文献３】特開２００３−２３７９０４
【特許文献４】特開２０１１−１４７５６８
【特許文献５】特開２００８−１６２７９３
【特許文献６】特開２００１−３５３１２０
【非特許文献】
【０００６】
【非特許文献１】実用新案  第３１８９１８５号
【発明の概要】
【発明が解決しようとする課題】
【０００７】  ポリ袋の開口部を、片手で容易に開いた状態に保持し、且つ他方の片手で掃き集めた塵埃を容易にポリ袋に掃き込むことを可能とする用具を開発する。
【課題を解決するための手段】
【０００８】  上記の目的を達成するために、請求項１記載の発明は、ポリ袋の端部を２本の柄で挟持して、開口部を開いた状態に保持出来るようになる。
請求項２記載の発明は、掃き込み手段の先端部分を常に接地状態に保持できるようになり、かつ、土砂や小石と集塵を分離するための最適な掃き込み角度に保持することが出来るようになる。
請求項３記載の発明は、２本の柄によるポリ袋の挟持部分と、持ち手部分の位置を一致させることが出来るようになる。
請求項４記載の発明は、接地時に傾斜した状態に保持される掃き込み手段において、掃き込みの途中で塵埃と土砂や小石を分離することが出来るようになる。
【発明の効果】
【０００９】  以上説明したように、請求項１記載の発明は、掃き込み用具の柄の部分を使って、ポリ袋を簡単に着脱できるようになり、作業の効率が向上する。
請求項２記載の発明は，塵埃の収集精度を高め、かつ、土砂や小石の混入を少なくすることができる。
請求項３記載の発明は、ポリ袋の装着が不適切な場合や、掃き集めた塵埃が重くなってしまった場合でも、ポリ袋の急な脱落を防ぐことが出来るようになる。
請求項４記載の発明は、掃き集めた塵埃に紛れ込んだ土砂や小石を確実に分離することが出来るようになる。
【図面の簡単な説明】
【００１０】
【図１】  用具斜視図
【図２】  用具側面図（ポリ袋に装着した時を示す）
【図３】  用具収納時の斜視図
【図４】  用具及び装着されたポリ袋の断面図（ポリ袋への装着方法を示す）
【発明を実施するための形態】
【００１１】  以下、添付図面を参照しながら本発明の実施の形態について説明する。
図１に示すようにポリ袋への掃き込み用具１は、掃き込み手段１０と逆Ｕ字型に成形加工され、弾力性を有する掃き込み側挟持柄２０及び、掃き出し側挟持柄３０とからなり、それぞれの柄の両端部を掃き込み手段側壁１０ａ，１０ｂに挟持柄取り付け手段４０ａ，４０ｂを用いて、回動自在に保持する。
【００１２】掃き出し側挟持柄３０は図２に示すように、両端部を掃き込み手段側壁１０ａ，１０ｂから突出するように取り付ける。これにより、掃き込み手段１０は自立時にその先端部が常に接地するようになり、掃き込み時の塵埃の収集精度を高める事が出来る。
掃き込み手段１０は掃き込み側に複数の分離孔１０ｃを有しており、塵埃を掃き込む際に、紛れ込んだ土砂や小石は、傾斜した掃き込み手段１０と地面との間にできた隙間に落下して、確実に分離することが出来るようになる。
掃き込み側挟持柄２０及び掃き出し側挟持柄３０の取り付けに際しては、ポリ袋挟持部Ａとそれぞれの取り付け部が略直角三角形状になり、かつ、掃き出し側挟持柄３０が掃き込み側挟持柄２０の上方に位置するようにそれぞれの柄の長さ及び取付位置を設定する。
【００１３】掃き込み側挟持柄２０及び掃き出し側挟持柄３０は図３に示すように掃き込み側に向かって折り畳むことによりコンパクトに収納できるようになる。
【００１４】ポリ袋Ｐの装着方法はは図４に示すようになる、最初にポリ袋Ｐの下端部に掃き出し側挟持柄３０の突出部３０ａを乗せる。
次にポリ袋Ｐの上端部を掃き出し側挟持柄３０にかぶせた後、掃き込み側挟持柄２０の内側からポリ袋Ｐの上端部を巻き込むようにセットする。
最後に掃き込み側挟持柄２０及び掃き出し側挟持柄３０を交差させてポリ袋Ｐを挟持する。
ポリ袋Ｐの下端部は挟持柄取り付け手段４０ａに引っ掛ければより確実に装着できる。
【００１５】本物品用のポリ袋は市販の規格サイズ（２０リットル、４５リットル）などを使用するため各部の寸法は規格サイズのポリ袋の最大開口寸法にあわせて設計を行う。
【００１６】尚、ポリ袋への掃き込み用具１の外観や構成は上述した実施形態に限定されるものではなく、各種の変形例や使用方法が考えられる。例えば、分離孔１０ｃを壁面のフックなどに引っ掛ければ、簡易ゴミ入れとしての利用出来るし、専用の収集袋を装着すれば粉塵などの収集にも利用出来る。
【符号の説明】
【００１７】  １      ポリ袋への掃き込み用具
１０    掃き込み手段
１０ａ／ｂ  掃き込み手段側壁
１０ｃ  分離孔
２０    掃き込み側挟持柄
３０    掃き出し側挟持柄
３０ａ  突出部
４０ａ／ｂ  挟持柄取り付け手段
Ａ      ポリ袋挟持部
Ｐ      ポリ袋
Ｋ      塵埃
Ｓ      土砂／小石
【図１】
2017086836.tif 000003
【図２】
2017086836.tif 000004
【図３】
2017086836.tif 000005
【図４】
2017086836.tif 000006